(57)【要約】      （修正有）【課題】複数の刃体の交換作業を効率良く行うことができる除草用回転刃を提供する。【解決手段】下面が地面に対峙する姿勢で草刈機に取り付けられ、草刈機の駆動部の駆動力によって回転軸線Ｌ１周りに回転駆動される基部１と、基端部２ａが基部１の周縁部の下方に配置されている第１刃体２と、基端部３ａが第１刃体２の基端部２ａの下方に配置されている第２刃体３と、基部１の回転軸線と平行な揺動軸線Ｌ２周りに揺動可能に第１刃体２及び第２刃体３の基端部２ａ、３ａを基部１に脱着可能に留める留め具４と、を備える。【選択図】図１
0003202851.tif 000002
【実用新案登録請求の範囲】
【請求項１】
下面が地面に対峙する姿勢で草刈機に取り付けられ、該草刈機の駆動部の駆動力によって回転軸線周りに回転駆動される基部と、
基端部が前記基部の周縁部の下方に配置されている第１刃体と、
基端部が前記第１刃体の基端部の下方に配置されている第２刃体と、
前記基部の回転軸線と平行な揺動軸線周りに揺動可能に前記第１刃体及び前記第２刃体の基端部を前記基部に脱着可能に留める留め具と、を備える、除草用回転刃。
【請求項２】
前記基部は、周縁部の上面と下面とを接続する挿通孔を有し、
前記第１刃体及び前記第２刃体は、それぞれ基端部の上面と下面とを接続する挿通孔を有し、
前記留め具は、前記基部の前記挿通孔、前記第１刃体の前記挿通孔、及び前記第２刃体の前記挿通孔に挿通され、軸線が前記揺動軸線と同軸である軸部と、前記軸部の上端部に連なり、前記基部に取り付けられる取付部と、前記軸部の下端部に形成され、前記軸部の軸線を中心とする径方向に突出する鍔部と、を有する、請求項１に記載の除草用回転刃。
【請求項３】
前記留め具の取付部は、前記基部の前記挿通孔に挿通される雄ねじと、該雄ねじと螺合する雌ねじが形成されたナットと、を有する、請求項２に記載の除草用回転刃。
【請求項４】
前記基部の前記挿通孔及び前記留め具の前記軸部は、前記基部の前記挿通孔に挿通された前記留め具の前記軸部の軸線周りの回動を規制する回動規制構造を有する、請求項３に記載の除草用回転刃。
【請求項５】
前記回動規制構造は、前記留め具の前記軸部の軸線を中心とする円周方向に延びる一対の対峙する円弧状面と、該一対の円弧状面を接続する一対の対峙する垂直面とを有する前記留め具の外周面と、該留め具の外周面の形状と同一形状の前記基部の前記挿通孔の内周面とを含む、請求項４に記載の除草用回転刃。
【請求項６】
前記第２刃体は、先端部の側縁部が基端部よりも下方に位置する、請求項１乃至５の何れかに記載の除草用回転刃。
【請求項７】
前記第２刃体は、先端部の側縁部が、水平方向に延在する、請求項６に記載の除草用回転刃。
【請求項８】
前記第１刃体、前記第２刃体、及び前記留め具は、前記基部の前記回転軸線に対して回転対称に複数設けられている、請求項１乃至７の何れかに記載の除草用回転刃。
【請求項９】
前記第１刃体及び前記第２刃体は、それぞれ先端部の側縁部が内側から外側に向かうに従って薄くなるテーパー状に形成された刃を有する、請求項１乃至８の何れかに記載の除草用回転刃。
【請求項１０】
前記基部は、中央部に形成された上面と下面とを接続する切抜部を有する、請求項１乃至９の何れかに記載の除草用回転刃。
【考案の詳細な説明】
【技術分野】
【０００１】
本考案は、除草用回転刃に関する。
【背景技術】
【０００２】
従来から草刈機に取り付けて用いられる草刈り刃が知られている（例えば特許文献１参照）。
【０００３】
この草刈り刃は、基板の上面側に取り付けられる刃部と、基板の下面側に取り付けられる刃部と、刃部軸とを備えており、上面に位置する刃部と下面に位置する刃部とが基板を間にしてこの一つの刃部軸に軸着されている。
【先行技術文献】
【特許文献】
【０００４】
【特許文献１】登録実用新案第３１６６２２０号公報
【考案の概要】
【考案が解決しようとする課題】
【０００５】
しかし、特許文献１に記載の草刈り刃は、摩耗した切れ刃の交換作業を行う際、草刈り機の底面側に位置する切れ刃、すなわち基板の上面に位置する切れ刃が草刈り機の底面と接近し、草刈り機に草刈り刃を取り付けたままでは脱着作業を行うためのスペースがない場合があり、この場合、草刈り刃全体を草刈り機から取り外して行う必要があった。その結果、摩耗した切れ刃の交換作業に手間取るという問題があった。
【課題を解決するための手段】
【０００６】
上記課題を解決するため、本考案のある態様に係る除草用回転刃は、下面が地面に対峙する姿勢で草刈機に取り付けられ、該草刈機の駆動部の駆動力によって回転軸線周りに回転駆動される基部と、基端部が前記基部の周縁部の下方に配置されている第１刃体と、基端部が前記第１刃体の基端部の下方に配置されている第２刃体と、前記基部の回転軸線と平行な揺動軸線周りに揺動可能に前記第１刃体及び前記第２刃体の基端部を前記基部に脱着可能に留める留め具と、を備える。
【０００７】
この構成によれば、第１刃体及び第２刃体が基部の下方に位置するので、例えば除草用回転刃を草刈機に取り付けたままの状態で、草刈機の下面側から第１刃体及び第２刃体の脱着作業を容易に行うことができ、第１刃体及び第２刃体の交換作業を効率良く行うことができる。また、第１刃体及び第２刃体が基部の下方に位置するので、障害物に衝突することにより揺動軸線周りに回動した第１刃体及び第２刃体が、基部の上方に位置する草刈機の回転台等に衝突しないように構成されているので、草刈機の破損を防止することができる。
【０００８】
前記基部は、周縁部の上面と下面とを接続する挿通孔を有し、前記第１刃体及び前記第２刃体は、それぞれ基端部の上面と下面とを接続する挿通孔を有し、前記留め具は、前記基部の前記挿通孔、前記第１刃体の前記挿通孔、及び前記第２刃体の前記挿通孔に挿通され、軸線が前記揺動軸線と同軸である軸部と、前記軸部の上端部に連なり、前記基部に取り付けられる取付部と、前記軸部の下端部に形成され、前記軸部の軸線を中心とする径方向に突出する鍔部と、を有していてもよい。
【０００９】
この構成によれば、第１刃体及び第２刃体の脱着作業を更に容易に行うことができ、第１刃体及び第２刃体の交換作業を更に効率良く行うことができる。
【００１０】
前記留め具の取付部は、前記基部の前記挿通孔に挿通される雄ねじと、該雄ねじと螺合する雌ねじが形成されたナットと、を有していてもよい。
【００１１】
この構成によれば、第１刃体及び第２刃体の脱着作業を更に容易に行うことができ、第１刃体及び第２刃体の交換作業を更に効率良く行うことができる。また、雄ねじ及びナットは、第１刃体及び第２刃体よりも上方に位置するので、除草作業時に雄ねじ及びナットが障害物と接触し、雄ねじ及びナットが破損し、その結果、第１刃体及び第２刃体が基部から取り外せなくなることを防止することができる。
【００１２】
前記基部の前記挿通孔及び前記留め具の前記軸部は、前記基部の前記挿通孔に挿通された前記留め具の前記軸部の軸線周りの回動を規制する回動規制構造を有していてもよい。
【００１３】
この構成によれば、留め具の回動による基部の摩耗を防止することができ、基部を長持ちさせることができる。
【００１４】
前記回動規制構造は、前記留め具の前記軸部の軸線を中心とする円周方向に延びる一対の対峙する円弧状面と、該一対の円弧状面を接続する一対の対峙する垂直面とを有する前記留め具の外周面と、該留め具の外周面の形状と同一形状の前記基部の前記挿通孔の内周面とを含んでいてもよい。
【００１５】
この構成によれば、回動規制構造を適切に構成することができる。
【００１６】
前記第２刃体は、先端部の側縁部が基端部よりも下方に位置していてもよい。
【００１７】
この構成によれば、除草作業において雑草をより低い位置で切断することができ、除草作業の作業効率を向上させることができる。
【００１８】
前記第２刃体は、先端部の側縁部が、水平方向に延在していてもよい。
【００１９】
この構成によれば、除草作業の作業効率を向上させることができる。
【００２０】
前記第１刃体、前記第２刃体、及び前記留め具は、前記基部の前記回転軸線に対して回転対称に複数設けられていてもよい。
【００２１】
この構成によれば、除草作業の作業効率を向上させることができる。
【００２２】
前記第１刃体及び前記第２刃体は、それぞれ先端部の側縁部が内側から外側に向かうに従って薄くなるテーパー状に形成された刃を有していてもよい。
【００２３】
この構成によれば、除草作業の作業効率を向上させることができる。
【００２４】
前記基部は、中央部に形成された上面と下面とを接続する切抜部を有していてもよい。
【００２５】
この構成によれば、除草用回転刃を軽快に回転させることができる。
【考案の効果】
【００２６】
本考案は、複数の刃体の交換作業を効率良く行うことができるという効果を奏する。
【図面の簡単な説明】
【００２７】
【図１】本考案の実施の形態に係る除草用回転刃の構成例を示す分解斜視図である。
【図２】図１の除草用回転刃の使用例を示す図であり、除草用回転刃を草刈機に取り付けた状態を示す図である。
【図３】図１の除草用回転刃の使用例を示す図である。
【考案を実施するための形態】
【００２８】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００２９】
図１は、本考案の実施の形態に係る除草用回転刃１００の構成例を示す分解斜視図である。図２は、除草用回転刃１００の使用例を示す図であり、除草用回転刃１００を草刈機１１０に取り付けた状態を示す図である。
【００３０】
図１に示すように、除草用回転刃１００は、基部１と、第１刃体２と、第２刃体３と、留め具４と、を備える。
【００３１】
本実施の形態において、基部１は、後述する回転軸線Ｌ１に対して１８０度の回転対称形に形成され、第１刃体２、第２刃体３、及び留め具４は、後述する回転軸線Ｌ１に対して回転対称に２組設けられている。以下では、このうち一方側について説明し、他方側についてはその説明を省略する。
【００３２】
基部１は、円板状に形成され、図２に示すように、下面が地面に対峙する姿勢で草刈機１１０に取り付けられ、草刈機１１０の駆動部の駆動力によって回転軸線Ｌ１周りに回転駆動される。
【００３３】
基部１は、取付ねじ挿通孔１１を有する。取付ねじ挿通孔１１は、除草用回転刃１００を草刈機１１０に取り付けるために用いられる。除草用回転刃１００を草刈機１１０に取り付けるときは、図２に示すように、草刈機１１０の取付ねじ１１１を取付ねじ挿通孔１１に挿通し、草刈機１１０の回転台１１２に形成されている雌ねじにこの取付ねじを螺合させる。このように、取付ねじ挿通孔１１は、草刈機１１０に対応して設けられている。したがって、図１においては、取付ねじ挿通孔１１が２つ設けられている場合を例示したがこれに限られるものではない。また、図１において、取付ねじ挿通孔１１が回転軸線Ｌ１と直交する仮想の直線上に設けられている場合を例示したがこれに限られるものではない。
【００３４】
そして、基部１は、外周縁が円形に形成されている。これによって、使用時において、基部１の外周縁に接触した小石等の跳ね飛ばしを軽減することができる。
【００３５】
また、基部１は、図１に示すように、中央部に、上面と下面とを接続する切抜部１２が形成されている。これによって、基部１の重量を少なくすることができ、除草用回転刃１００を軽快に回転させることができる。基部１は、周縁部の上面と下面とを接続する挿通孔１３が形成されている。
【００３６】
挿通孔１３は、後述する留め具４の軸部４１が挿通される孔であり、挿通孔１３の軸線が第１刃体２及び第２刃体３の揺動軸線Ｌ２を構成する（詳細は後述）。挿通孔１３の内周面は、平面視において、所謂小判状に形成され、揺動軸線Ｌ２を中心とする円周方向に延在する一対の対峙する円弧状面１３ａと、一対の円弧状面１３ａを接続する一対の対峙する垂直面１３ｂとを有する。
【００３７】
第１刃体２は、基端部２ａが基部１の周縁部の下方に配置されている。そして、第１刃体２は、回転軸線Ｌ１と直交する平面方向に延在している。第１刃体２は、例えば細長い平板状に形成され、基端部２ａには、基端部２ａの上面と下面とを接続する挿通孔２１が形成されている。
【００３８】
挿通孔２１は、後述する留め具４の軸部４１が挿通される孔であり、例えば円形に形成されている。そして、挿通孔２１は、揺動軸線Ｌ２と同軸に配置され、内周面が挿通孔１３の円弧状面１３ａの下方に連なるように配置されている。
【００３９】
そして、第１刃体２の先端部２ｂの側縁部には、内側から外側に向かうに従って薄くなるテーパー状に形成された刃２２を有する。
【００４０】
第２刃体３は、基端部３ａが第１刃体２の基端部２ａの下方に配置されている。第２刃体３は、例えば細長い板を折り曲げて形成され、基端部３ａには、基端部３ａの上面と下面とを接続する挿通孔３１が形成されている。
【００４１】
挿通孔３１は、後述する留め具４の軸部４１が挿通される孔であり、例えば円形に形成されている。そして、挿通孔３１は、揺動軸線Ｌ２と同軸に配置され、内周面が挿通孔２１の下方に連なるように配置されている。すなわち、第２刃体３の挿通孔３１は、第１刃体２の挿通孔２１、及び円弧状面１３ａが位置する仮想の円筒と略同一の径を有する。
【００４２】
そして、第２刃体３の先端部３ｂの側縁部には、内側から外側に向かうに従って薄くなるテーパー状に形成された刃３２を有する。このように、第１刃体２及び第２刃体３は、刃付けされているので草を効率よく刈ることができる。
【００４３】
そして、第２刃体３は、草刈機１１０に除草用回転刃１００を取り付けた状態において、先端部３ｂと基端部３ａとは、先端部３ｂと基端部３ａとの間に位置し、基端部３ａから斜め下方に伸延する傾斜部３ｃを介して接続されている。そして、先端部３ｂは、基端部３ａよりも下方に位置している。したがって、除草作業時において、第２刃体３の先端部３ｂをより地面に近づけることができ、雑草をより短く刈り込むことができる。また、第２刃体３の先端部３ｂは、水平方向に延在している。したがって、除草用回転刃１００を草刈機１１０に取り付けた状態において、第２刃体３の先端部３ｂを地面に沿わせることができ、作業効率を向上させることができる。
【００４４】
留め具４は、基部１の回転軸線Ｌ１を平行な揺動軸線Ｌ２周りに揺動可能（回動可能）に第１刃体２の基端部２ａ及び第２刃体３の基端部３ａを基部１に脱着可能に留める。留め具４は、軸部４１と、取付部４２と、鍔部４３と、を有する。
【００４５】
軸部４１は、基部１の挿通孔１３、第１刃体２の挿通孔２１、及び第２刃体３の挿通孔３１に挿通され、基部１、第１刃体２、及び第２刃体３を連結する。すなわち、軸部４１は、第１刃体２及び第２刃体３を基部１に組み付けた状態において、下端部が第２刃体３の挿通孔３１の内部空間に位置し、上端部が基部１の挿通孔１３の内部空間に位置するように長さ寸法が規定されている。軸部４１は、外周面が、平面視において、基部１の挿通孔１３と略同一形状に形成されている。すなわち、軸部４１の外周面は、平面視において、所謂小判状に形成され、揺動軸線Ｌ２を中心とする円周方向に延在する一対の対峙する円弧状面４１ａと、一対の円弧状面４１ａを接続する一対の対峙する垂直面４１ｂとを有する。したがって、挿通孔１３に挿通した軸部４１を揺動軸線Ｌ２周りに回転させようとすると、軸部４１の垂直面４１ｂが挿通孔１３の垂直面１３ｂに当接し、その回動が規制される。したがって、軸部４１は基部１に対して揺動軸線Ｌ２周りに回動しないように構成されている。本実施の形態において、軸部４１の垂直面４１ｂが挿通孔１３の垂直面１３ｂが留め具４の軸線（揺動軸線Ｌ２）周りの回動を規制する回動規制構造を構成する。
【００４６】
また、軸部４１の円弧状面４１ａ、第１刃体２の挿通孔２１、及び第２刃体３の挿通孔３１の径は略同一に形成され、軸部４１の円弧状面４１ａの下方に第１刃体２の挿通孔２１の内周面、及び第２刃体３の挿通孔３１の内周面が連なるように位置している。よって、軸部４１を基部１の挿通孔１３、第１刃体２の挿通孔２１、及び第２刃体３の挿通孔３１に挿通した状態において、第１刃体２及び第２刃体３を揺動軸線Ｌ２周りに揺動させることができるように構成されている。
【００４７】
取付部４２は、軸部４１の上端部に連なり、基部１に取り付けられる部分である。取付部４２は、例えば挿通孔１３に挿通される雄ねじ部４２ａと、雄ねじ部４２ａと螺合する雌ねじを有するナット４２ｂと、ナット４２ｂと基部１との間に挿入されるワッシャー４２ｃを有する。
【００４８】
鍔部４３は、軸部４１の下端部に形成され、揺動軸線Ｌ２の軸線を中心とする径方向に突出する鍔状に形成されている。したがって、軸部４１に挿通された第１刃体２及び第２刃体３は、鍔部４３によって軸部４１から抜け落ちないように保持される。
【００４９】
［使用例］
次に、除草用回転刃１００の使用例を説明する。
【００５０】
図３は、除草用回転刃１００の使用例を示す図である。
【００５１】
図２に示すように、除草用回転刃１００が取り付けられる草刈機１１０は、所謂自走式の草刈機であり、駆動部の駆動力によって、草刈機１１０の車輪１１３が回転し、前進すると共に、底面に取り付けられた回転台１１２が回転し、草刈機１１０の下に位置する雑草を刈り取ることができるものである。
【００５２】
図１に示すように、第１刃体２及び第２刃体３を基部１に組み付けるときは、基部１の挿通孔１３の軸線（揺動軸線Ｌ２）上に、第２刃体３の上に第１刃体２を位置させた上で、第１刃体２の挿通孔２１及び第２刃体３の挿通孔３１が同軸に位置するように重ね合わせ、挿通孔１３、挿通孔２１、及び挿通孔３１に軸部４１を下方から挿通する。そして、基部１の上面から上方に突出する取付部４２の雄ねじ部４２ａにワッシャー４２ｃを嵌めた上で、ナット４２ｂを雄ねじ部４２ａに螺合させる。これによって、第１刃体２及び第２刃体３は基部１に組み付けられる。
【００５３】
そして、第１刃体２及び第２刃体３を基部１に組み付けた除草用回転刃１００を草刈機１１０に取り付けるときは、草刈機１１０の取付ねじ１１１を取付ねじ挿通孔１１に挿通し、草刈機１１０の回転台１１２に形成されている雌ねじにこの取付ねじ１１１を螺合させる。
【００５４】
そして、除草用回転刃１００を取り付けた草刈機１１０を用いて除草作業を行うときは、草刈機１１０の駆動部の駆動力によって、回転台１１２を回転軸線Ｌ１周りに回転駆動させ、除草用回転刃１００を回転軸線Ｌ１周りに例えばＲ１側（図３参照）に回転させる。これによって、第１刃体２及び第２刃体３は、遠心力により、回転軸線Ｌ１を中心とする径方向に延在するように揺動する。そして、草刈機が前進すると、除草用回転刃１００が地面に沿って移動し、これによって除草作業を行うことができる。
【００５５】
このとき、第２刃体３の刃３２に雑草が接触することによって、この雑草は地面に近い位置で切断され、刈り取られる。同時に第１刃体２の刃２２にこの雑草が接触することによって、この雑草は更に第２刃体３によって刈り取られる位置よりも高い位置で切断され、この雑草は細かく裁断される。このように、除草用回転刃１００は、第２刃体３と、第２刃体３よりも高い位置に位置する第１刃体２を備えているので、雑草を複数個所で切断し、雑草の刈り取りと細断を同時に行うことができる。よって、除草作業の作業効率を向上させることができる。
【００５６】
ところで、図３に示すように、除草作業中、第１刃体２及び第２刃体３の少なくとも何れか一方に、木、石等の障害物Ｂが衝突すると、障害物Ｂと衝突した刃体は、揺動軸線Ｌ２周りに回動し、回転方向Ｒ１とは反対方向Ｒ２側に、回動する。これによって、刃体が受ける衝撃を緩和することができ、刃体の損傷を防止することができる。また、刃体の回動によって、刃体の先端部は、回転軸線Ｌ１を中心とする径方向において内側に移動し、障害物Ｂに沿って移動する。これによって、障害物Ｂ周辺の除草作業を効率よく行うことができる。
【００５７】
更に、第１刃体２及び第２刃体３が基部１の下方に位置するので、揺動軸線Ｌ２周りに回動した第１刃体２及び第２刃体３が、基部１の上方に位置する草刈機１１０の回転台１１２等に衝突しないように構成されているので、草刈機１１０の破損を防止することができる。
【００５８】
また、第１刃体２及び第２刃体３が基部１の下方に位置するので、地面と基部１との接触を軽減することができ、基部１を長持ちさせることができる。
【００５９】
なお、除草用回転刃１００は、留め具４の回動規制構造を有し、軸部４１は基部１に対して揺動軸線Ｌ２周りに回動しないように構成されているので、第１刃体２及び第２刃体３が揺動したときに、第１刃体２及び第２刃体３と共に軸部４１が回動しない。これによって、軸部４１の回動による基部１の摩耗を防止することができ、基部１を長持ちさせることができる。
【００６０】
そして、除草作業の実施により、第１刃体２及び第２刃体３が摩耗した場合は、例えば除草用回転刃１００を草刈機１１０に取り付けた状態のまま、ナット４２ｂを雄ねじ部４２ａから外し、留め具４を基部１、第１刃体２及び第２刃体３から引き抜く。これによって、基部１と第１刃体２及び第２刃体３との連結が解除され、摩耗した第１刃体２及び第２刃体３を基部１から取り外すことができる。このように、第１刃体２及び第２刃体３は、基部１の下方に位置するので、例えば除草用回転刃１００を草刈機１１０を取り付けたまま、草刈機１１０の下面側から第１刃体２及び第２刃体３の脱着作業を容易に行うことができ、第１刃体２及び第２刃体３の交換作業を効率良く行うことができる。
【００６１】
なお、基部１の下面に損傷が見られる場合は、基部１の上面と下面とを入れ替えて、第１刃体２及び第２刃体３を組み付けてもよい。これによって、除草用回転刃１００を長持ちさせることができる。
【００６２】
なお、雄ねじ部４２ａ及びナット４２ｂは、第１刃体２及び第２刃体３よりも上方に位置するので、除草作業時に雄ねじ部４２ａ及びナット４２ｂが障害物Ｂと接触し、雄ねじ部４２ａ及びナット４２ｂが破損し、その結果、第１刃体２及び第２刃体３が基部から取り外せなくなることを防止することができる。
【００６３】
そして、基部１は、回転軸線Ｌ１に対して１８０度の回転対称形に形成され、第１刃体２、第２刃体３、及び留め具４は、回転軸線Ｌ１に対して回転対称に２組設けられているので、除草用回転刃１００を用いた除草作業の作業効率を向上させることができる。また、各第１刃体２及び第２刃体３の摩耗の進行を遅らせることができ、第１刃体２及び第２刃体３の交換頻度を減少させることができる。また、２組の第１刃体２、第２刃体３、及び留め具４が回転軸線Ｌ１に対して回転対称に設けられていることにより、重量バランスを良くすることができるので、除草用回転刃１００の回転時の振動を軽減することができる。
【００６４】
以上に説明したように、本考案の除草用回転刃１００は、第１刃体２及び第２刃体３が基部１の下方に位置するので、例えば除草用回転刃１００を草刈機１１０に取り付けたままの状態で、草刈機１１０の下面側から第１刃体２及び第２刃体３の脱着作業を容易に行うことができ、第１刃体２及び第２刃体３の交換作業を効率良く行うことができる。
【００６５】
＜変形例＞
上記実施の形態においては、軸部４１の外周面は、上端部から下端部に亘る全体が小判状に形成され、揺動軸線Ｌ２を中心とする円周方向に延在する一対の対峙する円弧状面４１ａと、一対の円弧状面４１ａを接続する一対の対峙する垂直面４１ｂとを有する。しかし、これに限られるものではなく、挿通孔１３に挿通される上端部のみが小判状に形成されていてもよい。
【００６６】
また、基部１の挿通孔１３に挿通された留め具４の揺動軸線Ｌ２周りの回動を規制する回動規制構造は、上記構成に限られるものではなく、平面視において非円形に形成された外周面を有する軸部４１と、これに対応する内周面を有する挿通孔１３とによって構成されていてもよい。
【００６７】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００６８】
Ｌ１  回転軸線
Ｌ２  揺動軸線
１  基部
２  第１刃体
２ａ  基端部
２ｂ  先端部
２ｃ  傾斜部
３  第２刃体
３ａ  基端部
３ｂ  先端部
３ｃ  傾斜部
４  留め具
１１  取付ねじ挿通孔
１２  切抜部
１３  挿通孔
１３ａ  円弧状面
１３ｂ  垂直面
２１  挿通孔
２２  刃
３１  挿通孔
３２  刃
４１  軸部
４１ａ  円弧状面
４１ｂ  垂直面
４２  取付部
４２ａ  雄ねじ部
４２ｂ  ナット
４２ｃ  ワッシャー
４３  鍔部
１００  除草用回転刃
１１０  草刈機
１１１  取付ねじ
１１２  回転台
【図１】
0003202851.tif 000003
【図２】
0003202851.tif 000004
【図３】
0003202851.tif 000005